(57)【要約】【課題】様々なデータを送受信可能な移動無線端末の普及に伴い、その機能を使用した広告用データを移動中の端末に提供することが可能となった。しかし、移動通信端末側では、情報を受信する一方、その情報の内容の真偽を確認する手段がなく、振り回される場合も生じてくる。【解決手段】広告用データを作成したとき、予めそのデータに格納されるＩＤ格納庫を設け、データを作成したその端末本体の端末ＩＤ、及びその端末から転送した相手先端末の端末ＩＤを格納する。端末に内蔵されているコンピュータプログラムは、その端末の端末ＩＤとＩＤ格納庫中の端末ＩＤと認証を行い、転送可能な条件の場合のみ、自端末からの転送の許可を出す。これにより、作成者の著作権を守り、かつデータの加工や乱用を禁ずることで、広告用データへの信憑性を高めることを目的とした移動通信端末。【選択図】      図４
2005025258.tif 000002
【特許請求の範囲】
【請求項１】
通信用データを発生するとともに所定のプログラムに基づいて制御する制御手段と、予め端末ＩＤを格納する格納手段と、前記通信用データを作成するユーザによる作成端末ＩＤを入力する手段と、前記通信用データを送信する手段とを含み、
前記制御手段は、前記端末ＩＤと前記作成端末ＩＤとを比較し、特定の条件の場合にデータ送信先に対し送信を行うことを特徴とする移動通信端末。
【請求項２】
前記作成端末ＩＤは、前記端末ＩＤであることを特徴とする請求項１記載の移動通信端末。
【請求項３】
前記請求項１記載の端末はさらに、前記通信用データを送信先の受信端末ＩＤを入力する手段を持ち、前記受信端末ＩＤは、前記データ送信元のＩＤであることを特徴とする請求項１記載の移動通信端末。
【請求項４】
前記通信用データは、サーバまたは他の端末へ送信するための広告用データであることを特徴とする請求項１乃至３いずれか１項に記載の移動通信端末。
【請求項５】
さらに、端末の位置を検知するためのＧＰＳ手段を有し、前記制御手段は、前記ＧＰＳ手段により検知された位置情報に関連付けて前記通信用データを発生することを特徴とする請求項１乃４いずれか１項に記載の移動通信端末。
【請求項６】
前記制御手段は、前記位置情報に関連付けてサーバから地図情報を要求することを特徴とする請求項５記載の移動通信端末。
【請求項７】
前記制御手段は、前記データを、サーバから受信した前記地図情報に基づいて作成し送信することを特徴とする請求項６記載の移動通信端末。
【請求項８】
端末内で通信用データが発生したとき、前記通信用データ内部に、端末ＩＤを格納可能なＩＤ格納庫を少なくとも一つ以上設け、前記通信用データの送信を行うときに既に格納されている端末ＩＤと、自端末の端末ＩＤを比較認証し、特定の条件でのみ、データ送信先に対して送信可能にする制御を端末に実行させるコンピュータプログラム。
【請求項９】
前記ＩＤ格納庫を二種類設定し、それぞれの格納庫の一方に前記通信用データを作成した端末の端末ＩＤを格納し、もう一方にデータ送信先の端末の端末ＩＤを格納し、このデータを送受信するときに各々のＩＤ格納庫に格納されている端末ＩＤの認証を行い、特定の条件でのみ送信可能に制御することを端末に実行させる請求項８記載のコンピュータプログラム。
【請求項１０】
前記ＩＤ格納庫に格納された端末ＩＤのうち、前記通信用データを作成した前記端末のＩＤを格納する格納庫内の端末ＩＤは、いったん格納庫内に格納されると、加工、修正が不可能となる制御を行う、請求項８又は９記載のコンピュータプログラム。
【請求項１１】
前記通信用データは、広告用データであることを特徴とする請求項８乃至１０のいずれかに記載のコンピュータプログラム。
【請求項１２】
端末を操作する会員が閲覧可能な地図情報と、それ以外の一般ユーザの端末が閲覧可能な地図情報とを分離させて保存し、閲覧可能情報の差別化を図って前記端末に情報を提供することを特徴とするサーバ。
【請求項１３】
前記請求項１乃至７に記載の移動通信端末から送信されたデータのみ、受信を許可するサーバ。
【請求項１４】
データ送受信可能な移動通信端末と、前記端末からのデータを記録するサーバと、端末とサーバを介するインターネット網とからなり、前記移動通信端末には、通信用データ内部に端末ＩＤを格納可能なＩＤ格納庫を少なくとも一つ以上設け、ＩＤ格納庫を設け、前記通信用データの送信を行うときに既に格納されている端末ＩＤと、自端末の端末ＩＤを比較認証し、特定の条件でのみ、相手先装置に送信可能に制御することを端末に実行させるコンピュータプログラムが内蔵されており、前記移動通信端末は、コンピュータプログラムが内蔵されている相手装置からの通信用データのみ受信を許可することを特徴としたデータ送受信システム。
【請求項１５】
前記請求項１４記載の通信用データは、広告用に作成されたデータであり、任意に前記サーバから前記端末に前記データをダウンロードすることを特徴とする請求項１４記載のデータ送受信システム。
【請求項１６】
前記端末はＧＰＳ機能付きであり、前記通信用データは、ＧＰＳ機能により地図情報が追記され、前記サーバは地図情報に基づいてサーバ内の地図情報に関連付けて登録することを特徴とする請求項１４又は１５記載のデータ送受信システム。
【請求項１７】
前記端末は、ＧＰＳ機能により得た地図情報を、前記サーバに送信することで、サーバ内の地図情報に関連付けられた通信用データを取得することが可能である請求項１４乃至１６記載のデータ送受信システム。
【請求項１８】
特定の情報源を管理する特定の会員は、地図情報表記用に特定のマーク表示可能となり、データ送信者が地図情報の中のそのマークにリンク付けてサーバにアップロードが可能となる請求項１２又は１３に記載のサーバを用いた請求項１４乃至１７のいずれかに記載のデータ管理システム。
【請求項１９】
前記会員が、特定のコンテンツに対する情報もしくはアクセスなどを行った場合、コンテンツ管理を行う特定の会員の判断により、ポイントを前記会員に加算していくことにより、多様な特典を提供するシステムを提供する請求１８記載のシステム
【発明の詳細な説明】
【０００１】
【発明の属する技術分野】
本発明は、広告用データを送受信するにあたり、端末内にあるプログラムで条件に応じた送受信のみに制限することにより、広告用データの加工、乱用を防ぎ、データの信憑性を高める方法を用いた移動通信端末及び、その方法を用いた広告情報提供サービスに関する。
【０００２】
【従来の技術】
現在、相互に無線できる携帯電話やモバイルコンピュータなどの移動通信端末が一般ユーザに普及しており、このような移動通信端末を利用してサーバから商品広告を一般ユーザにデータ提供することも実行されている（特開２００１−３５９１６６号公報）。
【０００３】
例えば、現在の移動通信端末には液晶画面の他、カメラや音声メモ、電子メール、インターネットの機能が備わっていることが一般化しつつあり、簡易的なＧＰＳ装置に至っても既に内蔵されており、又、移動型小型スキャナも技術的には搭載可能である。カメラやスキャナを使えば画像からの文字認識も可能で、広告は単に受け取るだけでなく発信することも可能となっているが、未だ実現はされていない。
【０００４】
一般ユーザは移動通信端末を携帯して移動することができるので、サーバから移動通信端末に広告データを提供することで、移動している一般ユーザにも商品広告をデータ提供することが可能となる。
【０００５】
データ提供することが可能となる。
【０００６】
【特許文献１】
特開２００１−３５９１６６号公報
【０００７】
【発明が解決しようとする課題】
しかし、このようなデータ提供は、一方的に移動通信側が受けるだけであり、その提供内容の品質、信憑性について確認する手段がなく情報にふりまわされる結果となり、広告効果やサービスそのものが低下している。
【０００８】
ここで、本発明は上述のような課題を解決すべく、広告に対する反響、非広告提供対象サービスへの情報提供を移動携帯端末の映像、音声、コメント、位置情報といった情報送受信機能を使ってユーザグループでの共有又は活用利用するための広告サービス提供手段及びコンピュータプログラム、および広告情報を利用して購買に至ったユーザの顧客情報を管理する顧客情報管理システムの少なくとも１つを提供することを目的とする。
【０００９】
【課題を解決するための手段】
本発明で使用されるプログラムはデータを相手装置に送信するときに、データ内の端末ＩＤの認証を行うことで、特定の条件下でのみ、データの送信可能にする制御を端末に実行させるものである。
【００１０】
まず、広告用データとして、移動通信端末を持つユーザが広告対象物を撮影した場合、それを編集した後、広告提供コンテンツサーバから、対象となるエリアを検索し、前記の広告用データにリンク付けをして、アップロードを行う。
【００１１】
この時、アップロード用データは、広告用データに加え、その広告場所を示す位置コードと、ＩＤ格納庫を二つ含み、一つはその広告用データの作成者がデータを送信するときに作成者が操作した端末の端末ＩＤが入り、他方はその広告用データを受け取った受信者が、その受信端末１９から再度、広告用データのデータを他者、或いは最初の作成者に送信するときに、その受信先の端末の端末ＩＤが入る。
【００１２】
しかし、アクセスする前に、端末内にあるコンピュータプログラムにより、自端末の端末ＩＤとＩＤ格納庫の２つの端末ＩＤの認証を行い、二つの端末ＩＤが、データ送信の条件を満たさなければ端末内にあるコンピュータプログラムにより、送信不可の処理を行う。
【００１３】
このため、受信者が故意に、作成者から受け取った広告用データを加工して、作成者を介せずに直接コンテンツサーバにアクセスしたり、もしくは他者宛にデータを送信しようとしても、自端末のコンピュータプログラムにより送信不可扱いとなされ、作成者が作成した端末でのみ、そのデータを送信することが可能となる。
【００１４】
ゆえに、作成者の認知しないところで、情報の婉曲、事実に相反した情報の氾濫を防ぐことが可能となる。
【００１５】
【発明の実施の形態】
以下、本発明の実施の形態について、図面を用いて詳細に説明する。
【００１６】
図１は、本発明の実施の形態におけるデータの送受信を行う経路を示し、端末対サーバのやり取りを示すルートＡ、作成端末から受信端末へといった端末間のやり取りを示すルートＢの二種類の経路が存在する。
【００１７】
図２は本発明の実施の形態における全体のシステム構成を示すブロック図である。
【００１８】
本発明の広告提供方法は携帯無線端末１の中のコンピュータプログラムと広告提供コンテンツサーバ２０を利用して実行される。ここではインターネットにアクセス可能な携帯無線端末１を用いて、広告用データ２５を作成し送信する場合について記載するが、送信できる情報は携帯無線端末１に付属の機能や電話通信サービスを利用できるものであればなんでもよい。
【００１９】
もちろん、ＰＨＳカードモデムなどの通信手段を持つＰＤＡや小型ノートＰＣなどでもよい。
【００２０】
また、ここで述べられる、コンピュータプログラムは携帯無線端末１の組み込みソフトか又は機器に取り外し可能なアプリケーションソフトウェアとなる。
【００２１】
そして、そのコンピュータプログラムは、広告情報提供手段となる広告提供コンテンツサーバ（以下、サーバと称す）２０の広告提供サービスを介して携帯無線端末１がその機能を利用して取得する位置情報と映像や音楽（音声）と広告提供サービスに依存するユーザ管理情報を利用する。
【００２２】
本発明の広告用データは、移動通信端末によって通信可能な通信用データであればいかなる形態を取ってもよい。
【００２３】
本発明の実施の形態においては、広告用データとして静止画映像及びそれに関するコメントを扱った場合で記載する。
【００２４】
なお、本発明の実施の形態では、携帯無線端末１とは、移動通信端末のことである。
【００２５】
図２は、本発明の一実施の形態における携帯無線端末（以下、端末と称す）１の電気回路系を示すブロック図である。
【００２６】
図２を参照すると、端末１は、表示部２と、キー操作部３と、アンテナ４と、メモリ５と、制御部６と、無線部７と、変復調部８と、ベースバンド処理部９と、音声処理部１０と、音声入力部としてのマイク１１と、スピーカ１２と、カメラ１４と、そのコンピュータプログラムを格納したプログラムメモリ１５とから構成される。
【００２７】
無線部７は、アンテナ４からの受信信号をフィルタリング処理し、また送信信号を増幅してアンテナ４へ出力する。
【００２８】
変復調部８は、受信信号をＲＦ処理し、復調して受信ベースバンド信号に変換する。また、送信用ベースバンド信号を変調して送信信号に変換し無線部７に送信する。
【００２９】
ベースバンド処理部９は、受信ベースバンド信号を復号化して音声信号を生成しスピーカ１２に出力して音声を再生する。また、変復調部８からの受信ベースバンド信号のうち、音声以外の画像、メール等のデータに関しては、制御部６により読み出され、表示部２や後述するメモリ５に出力される。またベースバンド処理部９は、マイク１１から入力された音声を符号化し、送信用ベースバンド信号を生成する。音声以外の送信データは制御部６から供給されて必要な処理を施し、ベースバンド処理部９を経由して変復調部８に出力される。
【００３０】
カメラ１４は制御部６によって制御され、そのデータはメモリ５に記録される。ＧＰＳ１３は、現在場所の情報を取得する手段であり、地域コードとして、データに追記することが可能である。
【００３１】
また図２に示されるＧＰＳ機能は、アンテナ４のアンテナと共有しているが、ＧＰＳのアンテナとして別個に独立していてもよい。
【００３２】
制御部６は、本案件で後述するコンピュータプログラムを始め、上述の一連の送受信処理を含む移動通信端末全体の制御を行っている。メモリ５は、移動通信端末の動作、制御に必要なシステムプログラム、データを記録している。
【００３３】
図１のルートＡに示される経路が、本発明の第１の実施の形態で用いられる経路であり、端末１で広告用データ２５を作成したあと、インターネット網２２を介して、アップロード用データ３１としてデータをサーバ２０にアップロードするときの流れを示す。
【００３４】
ダウンロードの場合はルートＡの逆方向をたどって開始される。
【００３５】
図５を用いて、本発明の実施の形態で用いられるサーバ２０の構成について、詳細に説明する。
【００３６】
本発明のサーバ２０は、パスワードによるログイン認証手段２１と、端末１で作成される広告用データ２５にリンクされる地図情報が保存されているエリア用データベース１６と、各端末からの広告用データ２５が保存されている広告情報データベース２４とからなる。
【００３７】
このサーバ２０は、ログイン認証時に、コンピュータプログラム内蔵された端末からのデータ通信のみを許可することも可能である。
【００３８】
まず、図２の携帯無線送信端末１８の制御部６により作成され、サーバ２０にアップロードされるアップロード用データ３１について記載する。
【００３９】
まず、図７に示すように、このデータの構成は、アップロードしたい静止画像やコメントなどの広告用データ２５、前記データ及びコメントのリンク先の位置を示す位置コード３０、そして、２種類のＩＤ格納庫２７（ＩＤ格納庫２８、２９）とを含んだ専用形式の１つのファイルにまとめられメモリ５に格納される。
【００４０】
なお、ＩＤ格納庫２７は、広告用データ２５のデータの内部にあり、コンピュータプログラムの制御によってのみ加工が行える構成となっている。
【００４１】
このアップロード用データ３１を端末１で作成し、サーバ２０に送信、保存されるまでの過程を、図３のシーケンスチャートに従って説明する。
【００４２】
まず、図２の端末１を持つユーザは、カメラ１３により移動場所から広告対象物を撮影し、必要であればキー操作部３の操作により編集などを行うことで、制御部６が撮影画像情報から広告情報として必要な部分のみを取り込み、さらにキー操作部３からの入力によりコメントなどを追加して制御部６で広告用データ２５を作成する。この広告用データ２５が完成した段階で、制御部６は、プログラムメモリ１５に対して、作成完了信号（１）を送信する。
【００４３】
作成完了信号（１）を受信するとコンピュータプログラムに基づき、その広告用データ２５内部にあるＩＤ格納庫２７のうち、データ作成をした端末であることを示す作成端末ＩＤ格納庫２８に、この端末１の端末ＩＤを入力要求する（入力要求信号（２））。
【００４４】
そして、コンピュータプログラムによって、広告用データ２５の作成端末ＩＤ格納庫２８に、自端末ＩＤが格納された後（入力完了信号（３））、コンピュータプログラムに基づき、サーバ２０にアクセス要求信号（４）を送信する。
【００４５】
サーバ２０に対するログイン認証（図３のアクセス要求（５）からアクセス許可（７））を経てアクセス許可を得た端末１は、エリア情報要求（８）を送信し、そのサーバ２０にあるエリア情報データベース２３（図５）から、その広告用データ２５に関連付けたい地図情報を検索し、図９に示すエリア情報２６を得、メモリ５に格納される。
【００４６】
この検索や抽出などにより得られたエリア情報２６は、サーバ２０のエリア情報データベース２３で管理しやすくするために、表示部２では図１０のように区画分けの表示がなされている。
【００４７】
そして、仮に図１０の区画１に相当する左上角の位置に、広告用データ２５が関連付けられている場合、ユーザはキー操作部３により区画１を選択すると位置情報のフォーマットは図１１のように区画１に網掛け表示を表示部２において行うことで選択した区画の範囲が容易に識別できる。このように、その区画内の情報として、広告用データ２５が作成され、アップロード用データ３１に構成される。
【００４８】
また、地図より絞込検索を行う手間を避けたい場合、更におおよその住所が分かる場合は、住所欄候補から選ぶか、手入力することも可能である。
【００４９】
このようにして選ばれた広告用データ２５と、エリア情報２６は、表示部２に関連付けて表示させるために、エリア情報２６において、選択する区画を決定した段階で（図３の信号（１０））、端末１は自動的に図８（ａ）に示す位置コード３０をサーバ２０から入手してアップロード用データ３１に追加される（図３の信号（１１））。
【００５０】
なお、図８（ａ）に示す位置コード３０は次のような書式にてコード化される。
位置コード（Ｌｏｃａｔｉｏｎｃｏｄｅ）
＝Ａｒｅａｃｏｄｅ（地図エリアの大区分、都道府県、市町村の区分）
＋Ｍａｐｃｏｄｅ（１表示エリアにおける正方形マップの区画番号）
上記のように、ユーザが独自で発見した情報では区画番号までの登録となり、一般公開された場合には、位置コード３０で指定される地図の特定区画に関連付けてリンク付けられ、この内容で表示される。
【００５１】
このように、ユーザはコンピュータプログラムに基づいて広告用データ２５を作成したあと、端末１はサーバ２０にアクセスすることによって得られるエリア情報２６のうち、関連付けられた特定の区画を選択し、位置コード３０を広告用データ２５に追加した後、アップロード用データ３１として、専用形式の１つのファイルにまとめてメモリ５に格納する。
【００５２】
次に、アップロードを行うために必要となるコンピュータプログラムのＩＤ認証について、図４（ａ）のフローチャートを用いて記載する。
【００５３】
アップロード用データ３１中に自動的に含まれる端末ＩＤは、作成端末ＩＤと、受信端末ＩＤの２種類あり、それぞれ別個の格納庫が設けてある。
【００５４】
広告用データ２５を作成完了したとき、送信端末１８のコンピュータプログラムは、データ内にあるＩＤ格納庫２７のうち広告用データの作成端末ＩＤであることを示す作成端末ＩＤ格納庫２８にこの送信端末１８の端末ＩＤを格納する。
【００５５】
また、他方のもう一つは、前記データを第３者へ送信した場合、その第３者の端末ＩＤが受信端末ＩＤとして登録される受信端末ＩＤ格納庫２９である。
【００５６】
それに続いて、サーバ２０へアクセスを要求し、パスワード認証の時は、パスワード入力を行い、アクセス許可を得る。
【００５７】
いったん、コンピュータプログラムによって、作成端末ＩＤ格納庫２８に格納された端末１の端末ＩＤは前述の通り、変わることはなく、またこれらのＩＤ格納庫２７はデータ内部に格納されるため、ユーザは格納庫内のＩＤデータを改ざんできない。
【００５８】
それに対して、受信端末ＩＤ格納庫２９に格納された端末ＩＤは、送信するたびに、その時点における受信端末１９の端末ＩＤが入れ替わりに格納される構成となる。
【００５９】
そして、サーバ２０へアクセス後、制御部６からデータのアップロードの要求があったとき（図３  広告用データアップロード要求信号（１２）、図４（ａ）のＳ１）、まずコンピュータプログラムによって、アップロード用データ３１中にあるそれぞれのＩＤ格納庫２７のうち、作成端末ＩＤ格納庫２８から、アップロードを行う端末の端末ＩＤを確認する（図４のＳ２）。
【００６０】
アップロードが許可される条件は、作成端末ＩＤ格納庫２８だけに端末ＩＤが格納されている初期状態の場合では（図４（ａ）のＳ３）、データを送信しようとする端末１の端末ＩＤと一致する場合（図４（ａ）のＳ６）である。
【００６１】
この条件に適した場合に、コンピュータプログラムは、作成端末が直接サーバに送信していると判断し、サーバ２０へのアップロードを許可する（図３のアップロード許可信号（１３）、図４（ａ）のＳ８）。それ以外の場合ではエラーとなり送信不可扱いとなる。（図４（ａ）のＳ７）
初期状態でない場合は更に、作成端末ＩＤ格納庫２８の端末ＩＤと受信端末ＩＤ格納庫２９の端末ＩＤの認証を行い（図４（ａ）のＳ４）、一致しなければデータを転送せず、送信エラーを返し処理を中断する（図４（ａ）のＳ５）。
【００６２】
この両者が一致する場合とは、作成したデータ作成端末から受信端末１９に送信したあと、受信端末１９で何らかの加工、及び追加を行った後に、データ作成端末すなわち作成端末に返信した場合である。
【００６３】
この場合、受信端末１９で何らかの加工などを行った時点では、受信端末ＩＤ格納庫２９には受信端末の端末ＩＤが格納されているが、作成端末に返信した時点で受信端末ＩＤ格納庫の受信端末の端末ＩＤが、作成端末の端末ＩＤにとって代わることによる。
【００６４】
これは、この返信した時点で、受信端末ＩＤ格納庫２９にある端末ＩＤは受信端末１９の端末ＩＤから、元の作成端末の端末ＩＤに入れ替わるためである。
【００６５】
このように、サーバ２０への自動接続において、それぞれの端末ＩＤとパスワードの入力などを含めた操作は全て端末側のコンピュータプログラムによって行われる。
【００６６】
すなわち、作成端末ＩＤ格納庫２８、及び受信端末ＩＤ格納庫２９のＩＤ情報は端末にあるコンピュータプログラムが管理し、ユーザ側では変更できないことにより、データ取扱の責任対象者を明確にしている。
【００６７】
このため、データを不特定多数の入手者に加工される可能性のあるサーバ２０へ送信したとしても、データが加工され、乱用される危険を防ぐことができる。
【００６８】
これらの過程を経たのち、端末１はアップロード用データ３１を送信し、その区画にリンクされる広告用データ２５の中の一部として、サーバ２０は広告情報データベース２４に保存することになる。
【００６９】
次に、地図情報を検索して、その地図から、他のユーザによりアップロードされたデータの中から、特定の広告用データ２５をダウンロードする場合について記載する。
【００７０】
ユーザの端末１は、サーバ２０にアクセスを行い、現在いる場所をＧＰＳ１３によって検索、或いは住所入力や、地図情報より特定の地区を絞り込むなどをして、サーバ２０のエリア情報データベース２３から、検索したいエリア情報２６を入手する。
【００７１】
そして送信端末１８はそのエリア内に仕切られている複数の区画より、検索したい区画（区画１）を選択し、検索する。
【００７２】
サーバ２０では、選択されたエリアの区画１（図１２（ａ））より、区画１の地図情報（図１２（ａ））と、位置コード３０を割り出して、その位置コード３０に見合った広告用データ２５のタイトルの一覧表３２とをユーザにダウンロードを行う。
【００７３】
するとユーザ側の送信端末１８では、地図情報を表示し、更に区画１の広告用データとして区画に関連付けられた情報が、図１２（ｂ）のようにタイトルの一覧表３２として表示される。
【００７４】
ユーザはこのタイトルの一覧表３２より、一つを選択することで、図１２（ｃ）に示されるような、個々の広告用データを閲覧することが可能となる。
【００７５】
もし、図１２（ａ）に後述するランドマーク３３が表示されている場合、直接選択することにより、直にその求めたい店舗の単独情報（ランドマーク３３の広告データ）を引き出すことも可能である。（図１２（ｃ））
本発明の他の実施の形態として、端末１とサーバ２０間でのデータの送受信のほかに、図１のルートＢを経路とする形態について記載する。
【００７６】
この場合は、コンピュータプログラムの書き込まれているソフトウェアを有する端末間で、サーバ２０を介さず広告用データ２５を共有する場合も可能であることを示す。
【００７７】
サーバ２０を介さない分、不特定多数者にデータ閲覧される可能性は低くなるが、この場合も端末ＩＤ認証を行うことで、加工データの転送拒否が可能となり、データの加工及び乱用を妨げることが可能となる。
【００７８】
さらに、乱用を防ぐために、受信側の端末のコンピュータプログラムは、データ受信のとき、相手の端末がコンピュータプログラム保持端末を確認してから、データを受信することも可能である。
【００７９】
データの転送行為はサーバへ転送する場合と変わりないが、転送されたアップロード用データ３１には、作成端末である第１発信者の端末ＩＤが作成端末ＩＤ格納庫２８に格納され、これにより原本作成者の発行、所有責任権が保証される。
【００８０】
端末間のデータ転送の場合は、前述のサーバに対するデータ送信の条件に加え、作成端末から、送信されてきたデータに対し、加工もしくは、追加をした場合のように、作成端末ＩＤ格納庫２８の端末ＩＤと受信端末ＩＤ格納庫２９の端末ＩＤが異なる場合では、受信端末は、作成端末ＩＤ格納庫２８の端末ＩＤを所有する端末にのみ、返信が許可される。
【００８１】
しかし、更に他者へ転送しようとする場合のように、作成端末ＩＤ格納庫２８の端末ＩＤと異なった端末ＩＤを所有する端末への転送は拒否される。
【００８２】
この端末間のコンピュータプログラムによるＩＤ認証のしくみについて、図４（ｂ）のフローチャートを用いて記載する。
【００８３】
まず、端末からアップロード用データ３１の転送要求が来たとき（図４（ｂ）のＳ９）、作成端末ＩＤ格納庫２８の端末ＩＤと受信端末ＩＤ格納庫２９の端末ＩＤが一致するかを確認（図４（ｂ）のＳ１０）し、一致する場合には（図４（ｂ）のＳ１３）転送を許可する。
【００８４】
一致しない場合には、更に送信先の端末ＩＤと作成端末ＩＤ格納庫２８の端末ＩＤが一致するかを確認し（図４（ｂ）のＳ１１）、そこで一致すれば（図４（ｂ）のＳ１３）転送を許可する。
【００８５】
しかし、ここでも一致しない場合には、エラーを返し送信不可とする（図４（ｂ）のＳ１２）。
【００８６】
この端末内のコンピュータプログラムがデータ転送を制御させることにより、閲覧したデータは、受信者側のメッセージを追加して作成端末へ返信可能になるが、受信者が更に第３者へデータを転送不可とすることができる。
【００８７】
よって、データ受信者は転送されたデータの共有閲覧か、作成端末への返信しか選択できずこれらのステータスはユーザではなくユーザの操作する端末のコンピュータソフトウェア側に判断させることで著作権法侵害の防止も行える。なお、ユーザが複数端末を持っている場合であっても、端末ごとに端末ＩＤが異なる為、同様の制限を受ける。
【００８８】
本発明の第２の実施の形態である広告情報提供方では、本発明の第１の実施の形態の広告提供サービスに会員制を導入したケースである。
【００８９】
その形態として、広告情報コンテンツ提供事業者の会員となった会員ユーザが店舗の広告情報を閲覧した場合について図６を用いて記載する。
広告用データ２５を作成し、サーバ２０にアップロードするまでの過程はほぼ前記記載の手順と変わらない。
【００９０】
しかし、端末ＩＤとして、会員端末ＩＤを所持することにより、図６のサーバ２０のユーザ認証手段３４で、このアップロードしてきたユーザが、広告情報コンテンツ提供事業者の会員であると判断した場合には、更に下記のことを行うことが可能となる。
【００９１】
まず、上記サーバ２０内でのアクセス可能に加え、会員ユーザ向け、非会員である一般ユーザ向けなど、広告情報データベース２４内で、閲覧レベルが差別化されたそれぞれのメニューに対するアクセスの可否を決定される。
【００９２】
つまり、サーバ２０には、ログイン認証手段２１に加え、閲覧レベル判断のための端末ＩＤ認証手段４１を、そして、通常のエリア情報データベース２３に加え、更に閲覧権限のレベルに応じてアクセスを許可されるメニュー項目３５別に差別化された広告情報データベース２４、そして会員ユーザの端末ＩＤが登録されているユーザデータバンク３８とからなる。
【００９３】
ここでメニュー項目３５とは、データ閲覧の権限レベルに応じて、なんの制約も受けない一般メニュー３７から、制約の度合いの高くなる様々な特定の会員メニュー３６までを含み、閲覧可能な範囲、種類は、サーバ２０側のＩＤ認証手段によって認証された端末ＩＤが、ユーザデータバンク３８の情報と照合されたのち、決定される。
【００９４】
ここでは、非会員でもアクセス可能であるように一般公開されている一般メニュー３７と、会員限定のメニューである会員メニュー３６の二つのメニューとして記載する。
【００９５】
会員ユーザは会員メニュー３６内にある情報を会員ユーザ端末へダウンロード、もしくは端末からアップロードを行うことが可能となり、一般ユーザもそのコンテンツの情報を一般ユーザに許可された情報開示の範囲内で閲覧可能となる。
【００９６】
会員ユーザ端末がサーバ２０にアクセスを行うとき、サーバ２０にあるユーザ認証手段３４でデータ中に含まれる作成端末ＩＤ格納庫２８中の端末ＩＤが会員端末ＩＤであると認証された場合、サーバ２０は、ユーザデータバンク３８を参照して、その会員ユーザに許可される広告情報データベース２４内の会員メニュー３６へのアクセスを許可する。
【００９７】
データのダウンロード、アップロードを始め、更新及び追加を行う場合も、アップロード用データ３１に記載された作成端末ＩＤ格納庫２８の認証を経て、メニュー項目別の広告情報データベース２４へのアクセスを許可する。
【００９８】
また、通常の実施の形態と同じく、ユーザのアクセス認証の後に続く、データのアップロード、またはダウンロードの形態は、通常の本発明の実施の形態と同様である。
【００９９】
通常の場合は、ユーザがアップロードしたデータに対して、サーバ管理者がデータの内容を監視し、閲覧の範囲を制限する形態であったが、会員ユーザの場合には、作成した情報を閲覧できる範囲を、一般メニューから会員メニューまで自由に制限範囲を設定して、広告情報データベース２４にアップロード可能である。
【０１００】
しかし、会員ユーザが移動先から取得し、サーバへ転送した情報は、ユーザの判断により一般公開の有無が選択できるが、一般公開と設定してアップロードした場合でも、一般公開情報扱いではあるが、サーバを運用する事業者サイド管理者が、中身を確認し一般公開対象か否かの判断を行うこともあり得る。
【０１０１】
このとき、一版公開しなかった情報はユーザ個人が利用するか、ユーザが会員同士でつくったフォーラム内で共有される情報となる。
【０１０２】
本発明の第３の実施の形態である広告情報提供方法では、本発明の第２の実施の形態の会員制別広告提供サービスに加え、広告情報コンテンツ提供事業者の会員であり、契約した店舗の広告情報を掲載している契約会員の場合のアップロード方法である。
【０１０３】
第３の実施の形態では、サーバ２０に加えて、さらに個人管理データベース３９と、広告サービスデータバンク４０を含む。
ここで、第２の実施の形態に述べたユーザデータバンク３８では、会員ユーザの端末ＩＤの情報だけではなく、契約をしている店舗などが管理することにより、例えば、会員ユーザに関するユーザ情報も保存さており、顧客管理として使われる。
【０１０４】
他に、アクセスしてきた個人のポイント数を管理する個人管理データベース３９、契約店舗それぞれが設定しているポイントのレートを記録したり、広告データを通して提供するサービスの内容を保存する広告サービスデータバンク４０も含む。
【０１０５】
なお、広告情報コンテンツ提供事業者として契約した契約会員ユーザのみがこのユーザデータバンク３８及び広告サービスデータバンク４０にアクセス可能となる。
【０１０６】
つまり、広告サービスデータバンク４０では、サーバ２０に登録された会員が店舗経営関係者である場合、ポイント加算サービスの設定や、イベント案内を行う場合にこれらの通知コメントなどのデータを追加、もしくは更新して保存する。
【０１０７】
さらに、広告情報提供企業が事業者サーバの正式会員となり店を登録した場合、アップロードを行う広告用データ２５と地図情報との関連付けを行う際、選択区画内に表示される内容についても、一般の広告用データ２５とは異なり、タイトルの一覧表３２としての表示に加えて、対象となるエリアの区画内に、その店舗が存在する座標点にランドマーク３３の表示が可能となる。
【０１０８】
また、ＧＰＳ１３内蔵の本体の場合は、ユーザの位置情報から区画番号をサーチし登録することも可能である。
【０１０９】
そのため、地図情報から広告用データ２５を取得する場合は、区画を選択すると区画全体から検索した場合と、図１２（ａ）のランドマーク３３の選択など、登録情報単体を選択して検索した場合（図１２（ｃ））の２通りの方法により選択できる。
【０１１０】
また、ランドマーク３３を指示する位置情報は、図８（ｂ）に示すように位置コード３０として、さらに下記の項目が加わる。
Ｌｏｃａｔｉｏｎｃｏｄｅ
＝Ａｒｅａｃｏｄｅ（地図エリアの大区分、都道府県、市町村の区分）
＋Ｍａｐｃｏｄｅ（１表示エリアにおける正方形マップの区画番号）
＋Ｃｏｏｒｄｉｎａｔｅｃｏｄｅ（正方形マップ１画面における座標情報）
＋Ｓｐａｒｅｃｏｄｅ（建物名（ビルの場合）、店舗、階数＆エリア（ビルやモール）情報）
＋Ｐｏｉｎｔ（登録された店舗情報のポイント数）
契約会員の場合は、そのリンク先にアクセスした場合、サーバ２０の認証を経て、契約会員のみがアクセス可能な広告情報データベース２４内の会員メニュー３６において、その情報コンテンツの更新や、情報追加などを行うことが可能である。
【０１１１】
そして、非契約会員ユーザがその区画にアクセスした場合、非契約会員もアクセス可能な区画情報として、前記のランドマーク３３に記されている情報を閲覧することが可能である。
【０１１２】
その中で非契約会員ユーザが特にランドマーク３３として記されている情報のリンク先にアクセスをした場合、その非契約会員ユーザはその店舗に関する広告用データ２５のみの閲覧、またコメントの追加が可能となる。またコメント追加の場合には、その区画に関連付けられた情報ではなく、そのランドマーク３３に関連付けられた店舗情報に追加される形でアップロードが可能となる。
【０１１３】
次に非契約会員に与えられるポイント設定について記載する。
【０１１４】
まず、端末１で広告用データ２５を開いたときに表示部２に表示される図１２（ｃ）の広告データ中において、”［ユーザ広場］（１０件）”が非契約会員ユーザの投稿広告へのリンクで、（）内は登録されている件数を示す。この図に示されるように、ポイント設定をしている広告用データの場合、Ｐｏｉｎｔは広告情報提供企業の広告のサービスを、非契約会員ユーザが利用した場合に与えるポイントである。
【０１１５】
そして、非契約会員ユーザが情報を追加するたび、またはその情報の有効度に応じて、有益な情報である場合には、会員ユーザが、非契約会員ユーザに対してポイントを加算していくことも可能である。
【０１１６】
ポイントのとりかたは事業体によって異なる為、広告サービスデータバンク４０内で各々レート設定を登録しておく。既にポイントサービスを導入している企業のサービスを利用している場合は、そのポイントを広告サービスのポイントに換金し蓄積利用する。
【０１１７】
このポイント設定の有無は図１２（ｂ）のタイトル一覧表３２表示の時に、左側の枠が白抜きか塗りつぶしかで判断する方法をとってもよい。
【０１１８】
広告用データ２５をアップロードする際、ユーザはエリア情報２６を地図データより検索、抽出することにより選ぶが、この時、既に広告情報提供企業が登録してある情報で、アップロードしたいデータと関連があれば直接そのデータに関連付けて登録を行うことができる。
【０１１９】
ユーザがアップロードした情報に対し、広告情報提供企業が特に情報の有益性を認めた場合はポイントが加算される。それはユーザの個人管理データベース３９内に記録される。
【０１２０】
また、ユーザが広告情報提供企業（店舗）で商品を買い求めた場合、広告情報のアクセス数（ヒットポイント情報）と購入実績数が記録され、それは広告提供企業にとっての顧客情報となる。
【０１２１】
また、広告データを開いたときに表示される図８（ｃ）の中にある、”［ユーザ広場］（１０件）”がユーザの投稿広告へのリンクで、（）内は登録されている件数を示す。Ｐｏｉｎｔは広告情報提供企業の広告のサービスを、ユーザが利用した場合に与えるポイントである。
【０１２２】
ポイントのとりかたは事業体によって異なる為、広告サービスデータバンク４０内で各々レート設定を登録しておく、既にポイントサービスを導入している企業のサービスを利用している場合は、そのポイントを広告サービスのポイントに換金し蓄積利用する。
【０１２３】
【発明の効果】
本発明の広告提供方法では、広告の提供とユーザが広告を利用するコンピュータプログラムに指示を行うソフトウェアが連動しており、ユーザがネットワークの知識がなくとも端末上のアプリケーションソフトウェアを扱うのと同様に扱え、かつ情報利用の責任範囲も明確になる。
【０１２４】
また、端末ＩＤは利用する端末ごとに与えられる為、ユーザは単純に提供されるコンテンツのみを純粋に利用するだけでよい。
【０１２５】
そして、このソフトウェアと端末がサーバに初アクセスしたときに、インストールを義務付けることで、サーバ内のデータ提供とデータ保護が同時に可能となる。
【０１２６】
移動通信端末からのデータ転送は、転送時に転送データの作成端末をチェックし、端末のコンピュータプログラム上に登録された端末ＩＤと一致し、受信端末ＩＤの格納庫が初期値状態でない場合、コンピュータプログラムはデータを転送しない。コンテンツサーバに接続する場合は、サーバ上のユーザ管理情報との認証の他、再度、アップロードするデータについても確認し、サーバの管理者（事業者）側でもチェックしセキュリティ確保を行う。コンテンツサービスには独自の会員用ポイントサービスを有し、ユーザのサービスの利用内容に応じてポイントが付加されるが、店舗側のポイントサービスのような顧客管理情報と連携させることで、広告に対するヒット数と購入行為の実績結果を数値データとして明確に入手でき広告やサービスの品質向上と携帯端末の有効的活用方法をも提供する関係を構築することで広告情報サービスを総合的に向上させることができる。
【図面の簡単な説明】
【図１】本発明の実施の形態におけるデータの送受信ルートを示す平面図である。
【図２】本発明の実施の形態の移動通信端末の電気回路系を示すブロック図である。
【図３】本発明の実施の形態における移動通信端末からコンテンツサーバへアップロードするときのシーケンスチャートである。
【図４】本発明の実施の形態におけるコンピュータプログラムのＩＤ認証のしくみを示すフローチャートであり、（ａ）はサーバに対してアップロードを行う場合、（ｂ）は端末間で転送を行う場合である。
【図５】本発明の第１の実施の形態におけるコンテンツサーバの構成を示した図である。
【図６】本発明の第２の実施の形態におけるコンテンツサーバの構成を示した図である。
【図７】本発明の実施の形態におけるアップロード用データの構成を示す図である。
【図８】本発明の実施の形態における地図情報を示す位置コードの構成であり、（ａ）は第１の実施の形態における位置コードを、（ｂ）は第２の実施の形態における位置コードを示す。
【図９】本発明の実施の形態における地図情報の端末におけるエリア情報のフォーマットを示すイメージ図である
【図１０】本発明の実施の形態における地図情報の端末における区画情報のフォーマットを示すイメージ図である
【図１１】本発明の実施の形態における地図情報の端末における区画決定画面のフォーマットを示すイメージ図である
【図１２】本発明の実施の形態における広告用データをダウンロードするときのイメージ図であり、（ａ）は区画別のエリア情報を、（ｂ）は、区画１に登録されている広告用データの一覧を、（ｃ）は、一店舗ごとの広告用データの表示形態を示すイメージ図である。
【符号の説明】
１    携帯無線機
２    表示部
３    キー操作部
４    アンテナ
５    メモリ
６    制御部
７    無線部
８    変復調部
９    ベースバンド処理部
１０  音声処理部
１１  マイク
１２  スピーカ
１３  ＧＰＳ
１４  カメラ
１５  プログラムメモリ
１８  送信端末
１９  受信端末
２０  コンテンツサーバ
２１  ログイン認証手段
２２  インターネット網
２３  エリア情報データベース
２４  広告情報データベース
２５  広告用データ
２６  エリア情報
２７  ＩＤ格納庫
２８  作成端末ＩＤ格納庫
２９  受信端末ＩＤ格納庫
３０  位置コード
３１  アップロード用データ
３２  タイトル一覧表
３３  ランドマーク
３４  ユーザ認証手段
３５  メニュー項目
３６  会員メニュー
３７  一般メニュー
３８  ユーザデータバンク
３９  個人管理データベース
４０  広告サービスデータバンク
４１  端末ＩＤ認証手段
【図１】
2005025258.tif 000003
【図２】
2005025258.tif 000004
【図３】
2005025258.tif 000005
【図４】
2005025258.tif 000006
【図５】
2005025258.tif 000007
【図６】
2005025258.tif 000008
【図７】
2005025258.tif 000009
【図８】
2005025258.tif 000010
【図９】
2005025258.tif 000011
【図１０】
2005025258.tif 000012
【図１１】
2005025258.tif 000013
【図１２】
2005025258.tif 000014